(57)【要約】【課題】単一の放送局分のチャンネルにおいて同一時間に複数の番組が放送されるマルチ編成サービスに対応し、手動又は自動的に設定された操作キーによって、サブサービスを直接選局することが可能なデジタル放送受信端末を提供する。【解決手段】デジタル放送を受信する放送受信部と、前記放送受信部により受信したデジタル放送を表示する表示部と、前記放送受信部に対してデジタル放送の選局を指示するための操作キーと、前記操作キーに対して選局するデジタル放送のサービスを割り当て、前記放送受信部で受信したデジタル放送がメインサービス及びサブサービスにより構成されるマルチ編成であった際に、前記サブサービスが前記操作キーに割り当てられていない場合、前記サブサービスを自動的に操作キーに割り当てるように制御する制御部と、を備えるデジタル放送受信端末。【選択図】図１
2010056886.tif 000002
【特許請求の範囲】
【請求項１】
デジタル放送を受信する放送受信部と、
前記放送受信部により受信したデジタル放送を表示する表示部と、
前記放送受信部に対してデジタル放送の選局を指示するための操作キーと、
前記操作キーに対して選局するデジタル放送のサービスを割り当て、
前記放送受信部で受信したデジタル放送がメインサービス及びサブサービスにより構成されるマルチ編成であった際に、前記サブサービスが前記操作キーに割り当てられていない場合、前記サブサービスを自動的に操作キーに割り当てるように制御する制御部と、
を備えるデジタル放送受信端末。
【請求項２】
前記制御部は、未割り当ての操作キーに前記サブサービスを割り当てるように制御することを特徴とする請求項１記載のデジタル放送受信端末。
【請求項３】
前記制御部は、前記メインサービスの番組と前記サブサービスの番組とが一致しない場合に、前記サブサービスを操作キーに割り当てるように制御することを特徴とする請求項１記載のデジタル放送受信端末。
【請求項４】
前記制御部は、前記操作キーに割り当てたサブサービスが終了すると、当該サブサービスの操作キーに対する割当を解除するように制御することを特徴とする請求項１記載のデジタル放送受信端末。
【請求項５】
前記制御部は、自動的に割り当てた操作キーの情報を表示部に表示することを特徴とする請求項１記載のデジタル放送受信端末。
【請求項６】
前記制御部は、前記操作キーに割り当てたサブサービスが、当該サブサービスに割り当てられた操作キーにより選局され所定時間視聴されると、前記表示部から当該サブサービスに対応する操作キーの情報を消去することを特徴とする請求項５記載のデジタル放送受信端末。
【発明の詳細な説明】
【技術分野】
【０００１】
この発明は、デジタル放送受信端末に関し、特に、単一の放送局分のチャンネルにおいて同一時間に複数の番組が放送されるマルチ編成放送に対応し、マルチ編成放送のサブサービスに割り当てられた操作キーによって、サブサービスを直接選局することが可能なデジタル放送受信端末に関する。
【背景技術】
【０００２】
日本国において運用されている地上デジタルテレビジョン放送は、ISDB-T（Integrated Services Digital Broadcasting for Terrestrial）方式と呼ばれ、OFDM（Orthogonal Frequency Division Multiplexing）変調方式を採用している。このISDB-T方式は、一つのチャンネルの伝送帯域を１３個のセグメントに分割し、そのうちの１２個のセグメントを、地上デジタル放送に割り当てている。そして、１２個のセグメントを全て使用して１チャンネル分のハイビジョン番組が放送されている。また、１２個のセグメントを分割し、最大で３チャンネル分の標準画質の番組を同一時間に放送する、「マルチ編成放送」も行われている。
【０００３】
上記マルチ編成放送の番組（マルチ編成番組）は、１つのメインサービス（主番組）と、１つ以上のサブサービス（副番組）とから構成される。ここで、マルチ編成番組の構成を図９を用いて簡単に説明する。図９は、マルチ編成番組が存在する場合の電子番組表(EPG :Electronic Program Guide)の一例を示す図である。上述したように、マルチ編成放送とは、デジタル放送において、通常ハイビジョン画質の１つの番組を放送する１チャンネル分の帯域で標準画質の番組を最大３つ放送するものである。図９に一例として示す番組表では、チャンネル番号２（２ｃｈ）を有する放送局が、１０：００〜１１：００の時間帯で、３つの番組から成るマルチ編成番組を放送する。その他の時間帯では、各放送局は、１つの番組（単一編成番組）を放送する。また、図９に示す番組表のうち、破線で囲んだ部分のリストＴ１の詳細を図１０に示す。図１０の場合、チャンネル番号２を有する放送局は、９：００〜１０：００の時間帯で、単一編成番組である番組（高校野球）を放送する。その後、この放送局は、１０：００〜１１：００の時間帯でマルチ編成番組を放送する。すなわち、１チャンネル分の帯域を３つのサブチャンネル（２−Ａｃｈ，２−Ｂｃｈ，２−Ｃｃｈ）に分割し、各サブチャンネルにおいて、それぞれ異なる番組（高校野球、ニュース、バラエティー）を放送する。また、１１：００からは、マルチ編成を終了し、単一編成番組である番組（教養番組）を放送する。
【０００４】
地上デジタル放送の番組指定には、リモコンの形態によるが、リモコンに設けられた例えば押下可能な２つのキー（またはボタン）の組であって、「＋」「−」または「▲」「▼」が記された「上下キー（UP/DOWNキー）」を用いることができる。ユーザは、上下キーを押下することにより、視聴する番組を物理チャンネルの降順または昇順で切り替える（指定する）ことができる。また、同様にリモコンに設けられた押下可能なボタンであって、上記「上下キー」とは別の、例えば１から１２までの数字が個々に記された「数字チャンネルキー」が用いられることもある。この数字チャンネルキーには例えば、数字１には放送局Ａ、数字２には放送局Ｂ、というように、それぞれ放送局が割り当てられている。ユーザは、この数字チャンネルキーを押下することによって、数字チャンネルキーに対応付けられた放送局のチャンネルにチャンネルを直接切り替える（指定する）ことができる。なおこれ以降では、上記「数字チャンネルキー」を「操作キー」と称するものとする。
【０００５】
従来技術による放送受信端末では、マルチ編成番組を放送する放送局に対応する操作キーが押下された場合、通常、指定された放送局のメインサービスが表示されることになる。そのため、ユーザがサブサービスを視聴するためには、メインサービスが表示された後に上下キー等を操作したり、あるいはEPGを画面に表示させて視聴したいサブサービスを選択したりするという、手間のかかる操作を必要とする。
【０００６】
例えば、マルチ編成番組に対応した放送受信端末の従来技術に、視聴中のデジタル放送がマルチ編成番組の場合には、自動的にメインサービス及びサブサービスを同一画面に表示することによって、ユーザが明示的にサブサービスを指定することなくサブサービスが表示される放送受信端末が開示されている（特許文献１を参照されたい。）。
【０００７】
また、例えば、マルチ編成番組に対応した放送受信端末の従来技術に、マルチ編成番組の放送中に、放送受信端末に別途用意された専用キーがユーザにより押下されると、放送受信端末の表示部に、ユーザが視聴したいマルチ編成番組を選択できる選択画面が表示される放送受信端末が開示されている（特許文献２を参照されたい。）。
【０００８】
【特許文献１】特開２００４−１９３６７３号公報
【特許文献２】特開２００３−１４３４９６号公報
【発明の開示】
【発明が解決しようとする課題】
【０００９】
しかしながら、引用文献１による放送受信端末では、ユーザがサブサービスのみの視聴を希望する場合には、メインサービスとサブサービスとが一度画面に表示されてから、所定の操作によってサブサービスの表示に切り替えなくてはならないという手間がかかる。また、ユーザが希望しないメインサービスに対しても信号の受信や復号等の処理が必要になるため、消費電力が過大になるという問題がある。
【００１０】
また、特許文献２による放送受信端末では、ある放送局から直接選局キーによってマルチ編成番組の放送局に切り替えたときにはメインサービスが表示され、上記専用キーを押下しなければ、マルチ編成番組の選択画面を表示することはない。従って、マルチ編成番組のサブサービスを表示させるには、専用キーや順次選局キーの押下、およびEPGの表示・選択を要する。しかしながら、そういった操作は手間がかかり、直接選局キーによる選局に比べ操作方法が分かり難いという問題もある。
【００１１】
従って、本発明の目的は、単一の放送局分のチャンネルにおいて同一時間に複数の番組が放送されるマルチ編成サービスに対応し、手動又は自動的に設定された操作キーによって、サブサービスを直接選局することが可能な、ユーザビリティに優れたデジタル放送受信端末を提供することにある。
【課題を解決するための手段】
【００１２】
上述した諸課題を解決すべく、本発明によるデジタル放送受信端末は、
デジタル放送を受信する放送受信部と、
前記放送受信部により受信したデジタル放送を表示する表示部と、
前記放送受信部に対してデジタル放送の選局を指示するための操作キーと、
前記操作キーに対して選局するデジタル放送のサービスを割り当て、
前記放送受信部で受信したデジタル放送がメインサービス及びサブサービスにより構成されるマルチ編成であった際に、前記サブサービスが前記操作キーに割り当てられていない場合、前記サブサービスを自動的に操作キーに割り当てるように制御する制御部と、
を備えることを特徴とする。
【００１３】
また、前記制御部は、未割り当ての操作キーに前記サブサービスを割り当てるように制御することが望ましい。
【００１４】
また、前記制御部は、前記メインサービスの番組と前記サブサービスの番組とが一致しない場合に、前記サブサービスを操作キーに割り当てるように制御することが望ましい。
【００１５】
また、前記制御部は、前記操作キーに割り当てたサブサービスが終了すると、当該サブサービスの操作キーに対する割当を解除するように制御することが望ましい。
【００１６】
また、前記制御部は、自動的に割り当てた操作キーの情報を表示部に表示することが望ましい。
【００１７】
また、前記制御部は、前記操作キーに割り当てたサブサービスが、当該サブサービスに割り当てられた操作キーにより選局され所定時間視聴されると、前記表示部から当該サブサービスに対応する操作キーの情報を消去することが望ましい。
【発明の効果】
【００１８】
このように、本発明によれば、ユーザが選局した放送局でマルチ編成放送が放送されている場合に、マルチ編成放送のサブサービスに割り当てられた操作キーによって、ユーザはサブサービスを直接選局することが可能になる。
【発明を実施するための最良の形態】
【００１９】
以下に、諸図面を参照しながら、本発明の一実施態様による放送受信端末を詳細に説明する。なお以下では、放送受信端末として据置き型のものを想定して説明するが、本発明はこれに限られるものではなく、地上デジタル放送を受信可能な、移動型の携帯受信端末（携帯電話、ＰＤＡ（パーソナルデジタルアシスタンス）等）にも適用可能であることに留意されたい。
【００２０】
図１は、本発明の一実施形態にかかる放送受信端末の機能ブロック図である。放送受信端末１００は、アンテナＡＮＴ、放送受信部１１０、デマルチプレクサ１２０、音声デコーダ部１３０、映像デコーダ部１４０、データ放送デコーダ部１５０、画面制御部１６０、制御部１７０、記憶部１８０、表示部ＤＩＳ（例えば、液晶ディスプレイ）、スピーカＳＰ、操作入力部ＫＥＹ（例えば、数字キー／上下キーを含む操作用インターフェース）、及びシステムバスＳＢを備える。放送受信部１１０は、例えば、地上デジタル放送の受信に対応した、任意の好適なインターフェース機器から構成される。また、デマルチプレクサ１２０は、例えば、放送受信部１１０が受信した地上デジタル放送の信号を分別するのに好適な電子回路、又はＣＰＵ（中央処理装置）等の任意の好適なプロセッサ上で実行されるソフトウェア等によって構成される。また、音声デコーダ部１３０、映像デコーダ部１４０、データ放送デコーダ部１５０、画面制御部１６０及び制御部１７０は、例えば、ＣＰＵ（中央処理装置）等の任意の好適なプロセッサで構成されるものであり、音声デコーダ部１３０、映像デコーダ部１４０、データ放送デコーダ部１５０、画面制御部１６０及び制御部１７０の各機能は、当該プロセッサ上で実行されるソフトウェアや、又は各機能の処理に特化した専用のプロセッサ（例えばＤＳＰ（デジタルシグナルプロセッサ））によって構成することができる。また、記憶部１８０は、例えば、揮発性メモリ（ＳＲＡＭ等）、不揮発性メモリ（ＥＥＰＲＯＭ等）、又は他の好適な記憶媒体から構成される。操作入力部ＫＥＹは、放送受信端末１００自体に設けられた例えば押下可能なキー（ボタン）とすることができる。なお、操作入力部ＫＥＹは、放送受信端末１００とは別個に設けられ、放送受信端末１００を遠隔操作するリモコンとして構成することもできる。この場合、放送受信端末１００は、リモコンとして構成された操作入力部ＫＥＹからの入力信号を受信する受信部（図示せず）を備える。また、表示部ＤＩＳも、放送受信端末１００とは別個に設けられ、放送受信端末のインターフェースを介して接続される表示装置として構成することも出来る。この場合、放送受信端末１００は、表示装置を接続するインターフェースを備える。
【００２１】
アンテナＡＮＴは、地上デジタル放送の信号（ＲＦ信号）を受信し、放送受信部１１０は、アンテナＡＮＴによって受信されたＲＦ信号を、制御部１７０からの周波数（チャンネル）指定命令に基づいてチューニング（周波数変換）する。なお、制御部１７０からのチャンネル指定命令は、操作入力部ＫＥＹを用いてユーザが指定したチャンネルに基づくものである。放送受信部１１０は、このＲＦ信号を、MPEG形式のTS（Transport Stream）信号に復調する。デマルチプレクサ１２０は、復調したTS信号内のパケットID（PID）などに基づき、音声パケット、映像パケット、データ放送パケットを検出し、音声パケットを音声デコーダ部１３０に、映像パケットを映像デコーダ部１４０に、データ放送パケットをデータ放送デコーダ部１５０にそれぞれ出力する。音声デコーダ部１３０は、入力された音声パケット内の音声データをデコードし、スピーカＳＰに出力する。映像デコーダ部１４０は、入力された映像パケット内の映像データをデコードし、画面制御部１６０に出力する。データ放送デコーダ部１５０は、入力されたデータ放送パケット内のBML（Broadcast Markup Language）を元にデータ放送画面の画面イメージを作成し、作成した画面イメージを画面制御部１６０に出力する。また、データ放送デコーダ部１５０は、受信したデータ放送パケットからチャンネルリスト情報を抽出し、制御部１７０にその情報を供給する。画面制御部１６０は、入力された映像データおよびデータ放送データに基づき画面データを作成して、画面表示部ＤＩＳに映像またはEPGを表示するように制御する。また、画面制御部１６０は、制御部１７０から、サブサービスと操作キーＫＥＹ１との割当に関する情報を取得し、当該情報を含んだ画面データを作成し、画面表示部ＤＩＳに表示させる。操作入力部ＫＥＹは、ユーザからの所定の操作を受け付ける働きをし、ユーザが直接ある番組を選局するための操作キーＫＥＹ１を備える。
【００２２】
さらに、制御部１７０は、操作キーＫＥＹ１に対して選局するデジタル放送のサービスを割り当てる操作キー割当制御部１７１と、放送受信部１１０で受信したデジタル放送の放送データがメインサービスとサブサービスにより構成されるマルチ編成であるか否かを判定するマルチ編成判定部１７２と、デジタル放送のサービスが操作キー割当制御部１７１によりすでに操作キーＫＥＹ１に割り当て済みか否かを判定する操作キー割当判定部１７３と、操作キーＫＥＹ１（特に、操作キー割当判定部１７３によってデジタル放送のサービスが割り当てられていないと判定された未使用の操作キーＫＥＹ１）にデジタル放送のサブサービスを自動的に割り当てる操作キー自動割当部１７４と、操作キー自動割当部１７４により自動的に割り当てられた操作キーＫＥＹ１の情報を表示部ＤＩＳに表示するように制御する自動割当結果表示制御部１７５と、メインサービスの番組とサブサービスの番組とが一致するか否かを判定する番組判定部１７６と、操作キー自動割当部１７４により割り当てられた操作キーＫＥＹ１によって選局されたサービスを視聴中である場合に、当該サービスを視聴している時間を累積する視聴時間累積部１７７と、を備える。
【００２３】
さらに、記憶部１８０は、選局するために必要な情報が記録されたチャンネルリストを記憶するチャンネルリスト記憶部１８１と、操作キー割当制御部１７１が割り当てたデジタル放送のサービスとそれに対する操作キーＫＥＹ１との関係を記憶する操作キー割当記憶部１８２と、視聴時間累積部１７７によって累積された各サブサービスに対する視聴時間を記憶する視聴時間記憶部１８３と、を備える。
【００２４】
（第１の実施形態）
図２は、本発明の一実施の形態に係る放送受信端末１００の動作フローチャートである。本実施形態は、チャンネルリスト取得時に、自動又は手動により、マルチ編成番組のサブサービスに対する操作キーの割当が行われる場合の実施形態を示すものである。
【００２５】
まず放送受信端末１００は、アンテナＡＮＴ及び放送受信部１１０を通じてチャンネルスキャンを行い、受信した信号からチャンネルリスト情報を取得する（ステップＳ１０１）。チャンネルリスト情報には、選局するために必要な情報が記録されており、具体的には、放送局名、物理周波数（例えば、物理チャンネルやセグメント）、論理チャンネル（チャンネル番号）、に関する情報が含まれている。チャンネルリスト情報はエリア別に異なるものであり、例えば、首都圏用チャンネルリスト情報、中部用チャンネルリスト情報、関西用チャンネルリスト情報などがある。制御部１７０は、チャンネルリスト情報を基に、スキャンした地域で受信可能な放送を確認し（ステップＳ１０２）、操作キー割当制御部１７１は、チャンネルリスト情報から取得した各放送のメインサービス（メインサービス）に対して、操作キーＫＥＹ１を割り当て、操作キー割当記憶部１８２に当該割当情報を記憶する（ステップＳ１０３）。
【００２６】
マルチ編成判定部１７２は、各放送がメインサービスとサブサービスにより構成されるマルチ編成番組であるかを判定する（ステップＳ１０４）。なお、マルチ編成番組に関する情報（制御情報）は、ARIB(Association of Radio Industries And Businesses:社団法人電波産業会）によれば、受信信号中のコンポーネントグループ記述子に記述されている。マルチ編成判定部１７２が、マルチ編成番組が存在すると判定すると、操作キー割当判定部１７３は、操作キー割当記憶部１８２を参照し、操作入力部ＫＥＹにメインサービスに割り当てられていない操作キーＫＥＹ１が存在するかどうかの判定を行う（ステップＳ１０５）。操作キー割当判定部１７３が、メインサービスに割り当てられていない操作キーＫＥＹ１（以下「未割当操作キーＫＥＹ１」という。）が存在すると判定すると（ステップＳ１０５のＹＥＳ）、制御部１７０は、画面制御部１６０を通じ、ユーザがサブサービスを未割当操作キーＫＥＹ１に手動又は自動的に割り当てることを希望しているかどうかを確認する画面を、表示部ＤＩＳに表示するように制御する（ステップＳ１０６）。ユーザが操作入力部ＫＥＹの所定のキー入力によって、サブサービスを未割当操作キーＫＥＹ１に手動又は自動的に割り当てることを希望している旨の信号を制御部１７０に伝えると、操作キー割当制御部１７１は、以下のサブサービスに未割当操作キーＫＥＹ１を割り当てるための制御を行う（ステップＳ１０７）。
【００２７】
ステップＳ１０６において、ユーザが手動でサブサービスに未割当操作キーＫＥＹ１を割り当てることを希望した場合には、操作キー割当制御部１７１は、操作キー割当記憶部１８２を参照し、画面制御部１６０を通じて、操作キーＫＥＹ１の割当情報を表示部ＤＩＳに表示させる。ユーザは、表示部ＤＩＳの表示内容を基に、操作入力部ＫＥＹの所定のキーによって、表示部ＤＩＳの画面上で、希望するサブサービスを未割当操作キーＫＥＹ１に割り当てる操作を行う。操作キー割当制御部１７１は、操作入力部ＫＥＹからユーザが希望する割当情報を取得し、ユーザの希望に沿った割当を行うと共にその結果を操作キー割当記憶部１８２に記憶する。このようなユーザによる手動割当は、例えば、ユーザが予めマルチ編成放送の放送局や開始時間を認識している場合に、特に希望するサブサービスに対して行われることが想定される。なお、ユーザが希望する場合には、すでにメインサービスに割り当てられている操作キーＫＥＹ１に対しても、サブサービスを割り当て、設定を上書きすることも可能である。
【００２８】
ステップＳ１０６において、ユーザが自動でサブサービスに未割当操作キーＫＥＹ１を割り当てることを希望した場合には、操作キー割当制御部１７１は、操作キー自動割当部１７４に対し、サブサービスを未割当操作キーＫＥＹ１に割り当てるように通知を出す。操作キー自動割当部１７４は、操作キー割当判定部１７３から未割当操作キーＫＥＹ１の情報を取得し、当該未割当操作キーＫＥＹ１に対して、サブサービスを割りてる。操作キー自動割当部１７４は、例えば、あるマルチ編成番組のメインサービスに割り当てた操作キーＫＥＹ１の近傍にある未割当操作キーＫＥＹ１に当該マルチ編成放送のサブサービスを割り当てることができる。操作キー自動割当部１７４は、サブサービスと未割当操作キーＫＥＹ１との割当結果を操作キー割当制御部１７１に通知し、操作キー割当制御部１７１は、その結果を操作キー割当記憶部１８２に記憶する。このような放送受信端末側での自動割当は、例えば、ユーザが予めマルチ編成放送の放送局や開始時間を認識していない場合に行われることが想定される。
【００２９】
制御部１７０は、受信したチャンネルリスト情報からチャンネルリストを作成し（ステップＳ１０８）、チャンネルリスト記憶部１８１に当該チャンネルリストを記憶する（ステップＳ１０９）。
【００３０】
なお、ステップＳ１０４〜Ｓ１０６において、それぞれ、マルチ編成の放送が存在しない（ステップＳ１０４のＮｏ）、メインサービスに割り当てられていない操作キーＫＥＹ１が存在しない（ステップＳ１０５のＮｏ）、ユーザがサブサービスの操作キーＫＥＹ１への割り当てを希望しない（ステップＳ１０６のＮｏ）場合も、制御部１７０は、受信したチャンネルリスト情報からチャンネルリストを作成し（ステップＳ１０８）、チャンネルリスト記憶部１８１に当該チャンネルリストを記憶して（ステップＳ１０９）終了する。
【００３１】
このように、本実施例によれば、手動割当及び自動割当いずれの場合でも、未割当操作キーにサブサービスを割り当てることによって、ユーザが操作キーにより直接サブサービスを選局することが可能になり、サブサービスの選局を容易に行えるようになる。特に、未割当操作キーにサブサービスを割り当てることによって、操作入力部から直接選局可能なサービス数が増加し、ユーザの利便性を向上させることができる。
【００３２】
（第２の実施形態）
図３は、本発明の一実施の形態に係る放送受信端末１００の動作フローチャートである。本実施形態は、デジタル放送視聴時に、マルチ編成番組のサブサービスに対する操作キーの割当が行われる場合の実施形態を示すものである。なお、本実施形態においては、放送受信端末１００の記憶部１８０は、自動割当結果記憶部（図示せず）を備える。
【００３３】
本実施例は、まず、ステップＳ２０１〜Ｓ２１３のメインフローに沿って説明を行い、次いで、ステップＳ３００〜Ｓ５００に示す分岐フローの説明を行う。図９〜図１６は、それぞれ、本実施例における、マルチ編成番組が存在する場合の電子番組表(EPG :Electronic Program Guide)の一例（図９）、マルチ編成番組の一例（図１０）、操作入力部ＫＥＹに対するメインサービスの割当例（図１１）、操作入力部ＫＥＹに対するメインサービス及びサブサービスの割当例（図１２）、表示部ＤＩＳに表示されたメインサービスの一例（図１３）、表示部ＤＩＳに表示されたサブサービスの一例（図１４）、表示部ＤＩＳに表示されたメインサービス及び自動割当結果表示の一例（図１５、図１６）を示す図であり、各ステップの説明において適宜参照する。
【００３４】
ユーザが、図１１に示す操作入力部ＫＥＹの電源キーＰＯＷ、又は操作キーＫＥＹ１を押下すると、放送受信部１１０は、該キー押下に応じて選局及び放送波の受信を開始する（ステップＳ２０１〜Ｓ２０３）。なお、操作キーＫＥＹ１が押下された場合には、制御部１７０は、操作キー割当記憶部１８２を参照し、押下された操作キーＫＥＹ１に対応する放送局の信号を受信するように放送受信部１１０を制御する。電源キーＰＯＷが押下された場合には、制御部１７０は、前回の受信時において最後に受信したチャンネル（ラストチャンネル）の信号を受信するように放送受信部１１０を制御する。なお、当該ラストチャンネルは、記憶部１８０に記憶することができる。
【００３５】
マルチ編成判定部１７２は、受信中の放送がマルチ編成放送であり、さらに、受信中のサブサービスが１つ以上終了したかどうかを判定する（ステップＳ２０４）。例えば図１０に示すマルチ編成番組の場合、１０：００−１１：００の３つの番組（１つのメインサービス及び２つのサブサービス）は同じ放送時間の長さであるため、ある番組の視聴中に終了するサブサービスは存在しないが、例えば２つのサブサービスの放送時間の長さが異なる場合には、ある番組の視聴中に終了するサブサービスが存在することになる。マルチ編成判定部１７２が、受信中のマルチ編成放送のサブサービスが終了していないと判定すると、番組判定部１７６は、受信中の放送がマルチ編成放送のメインサービスであるかどうかを判定する（ステップＳ２０５）。例えば、ＡＲＩＢの規格によれば、コンポーネントグループＩＤの値が“０ｘ０”である番組はメインサービスであり、それ以外の番組はサブサービスとなる。番組判定部１７６は、例えば図１０に示すマルチ編成番組の高校野球（標準画質）を視聴している場合のように、受信中の放送がメインサービスではある場合には、さらに、少なくとも１つのサブサービスの番組がメインサービスの番組と異なるかどうかを判定する（ステップＳ２０６）。番組判定部１７６が、メインサービスと異なる番組のサブサービスがないと判定すると、制御部１７０は、メインサービスのみを表示するように放送受信部１１０や画面制御部１６０を制御する（ステップＳ２０７）。番組判定部１７６が、例えば図１０の１０：００−１１：００のマルチ編成番組のように、少なくとも１つのサブサービスの番組がメインサービスの番組と異なると判定すると、操作キー割当判定部１７３は、メインサービスと番組が異なるサブサービスに対し操作キーＫＥＹ１が割り当てられていないかどうかの判定を行う（ステップＳ２０８）。図１１に示す操作入力部ＫＥＹのように、操作キーＫＥＹ１に対してメインサービスのみしか割り当てられていない場合には、操作キー割当判定部１７３は、メインサービスと番組が異なるサブサービスに対し操作キーＫＥＹ１が割り当てられていないと判定する。この場合、操作キー割当制御部１７１は、メインサービスと番組が異なるサブサービスに操作キーＫＥＹ１を割り当てるための制御を行う（ステップＳ６００）。
【００３６】
図７は、メインサービスと番組が異なるサブサービスに操作キーＫＥＹ１を割り当てる動作フローの詳細を示す図である。操作キー割当制御部１７１は、操作キー自動割当部１７４に対し、サブサービスを未割当操作キーＫＥＹ１に割り当てるように通知を出す。操作キー自動割当部１７４は、操作キー割当判定部１７３から未割当操作キーＫＥＹ１の情報を取得し、当該未割当操作キーＫＥＹ１に対して、サブサービスを割りてる。操作キー自動割当部１７４は、例えば、あるマルチ編成番組のメインサービスに割り当てた操作キーＫＥＹ１の近傍にある未割当操作キーＫＥＹ１に当該マルチ編成放送のサブサービスを割り当てることができる。操作キー自動割当部１７４は、サブサービスと未割当操作キーＫＥＹ１との割当結果を操作キー割当制御部１７１に通知し、操作キー割当制御部１７１は、その結果を操作キー割当記憶部１８２に記憶する。例えば図１０に示すマルチ編成番組の高校野球（メインサービス、２−Ａｃｈ）を視聴している場合、２つのサブサービス（２−Ｂｃｈ、２−Ｃｃｈ）は、図１２に示すように、未割当操作キーＫＥＹ１の「キー３」及び「キー４」に対してそれぞれ割り当てられる。
【００３７】
操作キー割当制御部１７１が操作キー自動割当部１７４によって操作キーＫＥＹ１の自動割当を行うと、自動割当結果表示制御部１７５は、自動割当の結果表示（以下「自動割当結果表示」）を表示部ＤＩＳ上に表示するための処理を行う。まず、自動割当結果表示制御部１７５は、操作キー割当記憶部１８２を参照し、受信中のサブサービスと操作キーＫＥＹ１との自動割当結果を構成し、当該自動割当結果を自動割当結果記憶部（図示せず）に記憶する（ステップＳ２０９）。さらに、自動割当結果表示制御部１７５は、画面制御部１６０に対し、デコードしたメインサービスの映像情報に自動割当結果表示を付加するように指示を出し、当該画面制御部１６０は、自動割当結果記憶部を参照し、メインサービスの映像情報と共に自動割当結果表示を表示部ＤＩＳに表示する（ステップＳ２１０、Ｓ２１１）。例えば図１０に示すマルチ編成番組の高校野球（メインサービス）を視聴している場合（図１３）、２つのサブサービス（２−Ｂｃｈ、２−Ｃｃｈ）が図１２に示すとおり操作キーＫＥＹ１に自動割当されると、自動割当結果表示は図１５のように行われる。図１５においては、表示部ＤＩＳの一部に、自動割当結果表示領域２００が形成され、「２−Ｂｃｈ」は「キー３」、「２−Ｃｃｈ」は「キー４」に割り当てられている旨が表示されている。
【００３８】
自動割当結果表示の表示非表示は、操作入力部ＫＥＹの所定のキー（例えば表示非表示切替キーＫＥＹ２）によって切り替えることができる（ステップＳ７００）。図８は、自動割当結果表示の表示非表示切換処理の動作フローの詳細を示す図である。自動割当結果表示制御部１７５は、ユーザが操作キー自動割当結果表示を希望するかを判断する（ステップＳ７０１）。例えば、初期設定では自動割当結果表示を表示するように設定し、ユーザは、例えば、自動割当結果表示の表示非表示を、図１１及び１２にしめす操作入力部ＫＥＹの、表示非表示切替キーＫＥＹ２を押下することによって切り替えることができる。ユーザが自動割当結果表示を希望する場合、自動割当結果表示制御部１７５は、自動割当結果記憶部を参照し、視聴中のチャンネルのサブサービスに対する操作キー自動割当結果が全て削除されていないかを確認し（ステップＳ７０２）、全て削除されていない場合には、画面制御部１６０に指示を出し、操作キー自動割当結果表示を表示部ＤＩＳに表示させる（ステップＳ７０３）。ユーザが自動割当結果表示を希望しない場合、自動割当結果表示制御部１７５は、自動割当結果表示を非表示にするように画面制御部１６０に指示を出し、画面制御部１６０は表示部ＤＩＳの自動割当結果表示領域を非表示にする（ステップＳ７０４）。
【００３９】
操作入力部ＫＥＹの電源キーＰＯＷにより放送受信端末１００の電源がＯＦＦになるまで継続してデジタル放送の視聴が継続され、新たな放送局が選局された場合には選局ステップＳ２０２に戻り（ステップＳ２１２）、視聴終了操作がない場合には放送波の受信ステップに処理が戻る（ステップＳ２１３）。なお、ステップＳ２１２において、他の放送局へのチャンネル切換が発生した場合には、チャンネル切換前に視聴していたマルチ編成放送のサブサービスに対する操作キーＫＥＹ１の割当を解除することができる。また、ユーザが手動で割り当てたサブサービスと操作キーＫＥＹ１との割当は維持し、放送受信端末１００側で自動的に割り当てたサブサービスと操作キーＫＥＹとの割当のみを解除することも可能である。このような割当の解除によって、チャンネル選局時に未割当操作キーＫＥＹ１を他の放送局のマルチ編成番組のために開放することができる。また、操作キー割当がユーザの手動によるものか端末側で自動的に行われているものかを区別することにより、ユーザが特に希望するサブサービスへの操作キー割当を維持しつつ、他の放送局のマルチ編成番組のために操作キーＫＥＹ１を開放することが可能になる。
【００４０】
次に、ステップＳ３００〜Ｓ５００に示す各分岐フローについて説明を行う。
【００４１】
ステップＳ２０４において、マルチ編成判定部１７２が、受信中の放送がマルチ編成放送であり、受信中のサブサービスが１つ以上終了したと判定した場合には、放送受信端末１００の処理は操作キー割当解除処理（ステップＳ３００）に移る。
【００４２】
図４は、操作キー割当解除処理の動作フローを示す図である。操作キー割当判定部１７３は、操作キー割当記憶部１８２を参照し、終了したサブサービスに割り当てられている操作キーＫＥＹ１が存在するかどうかを判定する（ステップＳ３０１）。終了したサブサービスに割り当てられている操作キーＫＥＹ１が存在する場合には、操作キー割当制御部１７１は、終了したサブサービスに対する割当を解除し、操作キー割当記憶部１８２及び自動割当結果記憶部の内容を更新する（ステップＳ３０２）。次いで、制御部１７０は、画面制御部１６０を通じ、選局したメインサービス又はサブサービスを表示するように表示部ＤＩＳを制御する（ステップＳ３０３）。このように終了したサブサービスに対する割当を解除することによって、未割当操作キーＫＥＹ１を他のサブサービスのために開放することができる。なお、終了したサブサービスに対して、ユーザが手動で操作キーＫＥＹ１を割り当てる処理を行っている場合には、終了したサブサービスに対する割当を維持することも考えられる。操作キー割当がユーザの手動によるものか端末側で自動的に行われているものかを区別することにより、ユーザが特に希望するサブサービスへの操作キー割当を維持しつつ、他のサブサービスのために操作キーＫＥＹ１を開放することが可能になる。
【００４３】
ステップＳ２０５において、マルチ編成判定部１７２が、受信中の番組がメインサービスではないと判定した場合には、放送受信端末１００の処理は、視聴時間累積処理（ステップ４００）に移る。
【００４４】
図５は、視聴時間累積処理の詳細な動作フローを示す図である。制御部１７０は、操作キー割当判定部１７３を通じ、ユーザによる放送の選局が、操作キー自動割当部１７４によって自動的にサブサービスに割り当てられた操作キーＫＥＹ１によって行われたものであるか判断する（ステップＳ４０１）。選局が自動的に割り当てられた操作キーＫＥＹ１によって行われた場合には、視聴時間累積部１７７は、サブサービス割当後の累積視聴時間を算出し、累積視聴時間を視聴時間記憶部１８３に記憶する（ステップＳ４０２）。次いで、制御部１７０は、画面制御部１６０を通じ、サブサービスを表示するように表示部ＤＩＳを制御する（ステップＳ４０３）。このように、自動的に割り当てられた操作キーＫＥＹ１により選局されたサブサービスの累積視聴時間を算出することにより、自動割当後に、ユーザが自動割当の結果をどの程度認識しているか判断する目安として活用することが可能になる。
【００４５】
ステップＳ２０８において、操作キー割当判定部１７３が、メインサービスと番組が異なるサブサーブサービスに対して操作キーＫＥＹ１が割り当てられていると判定すると、放送受信端末１００の処理は、自動割当結果表示削除処理（ステップＳ５００）に移る。
【００４６】
図６は、自動割当結果表示削除処理の詳細な動作フローを示す図である。制御部１７０は、操作キー割当判定部１７３を通じ、サブサービスキー割当をユーザが手動で行ったかどうかを判定する（ステップＳ５０１）。ユーザが手動で行っている場合には、制御部１７０は、画面制御部１６０を通じ、選局したメインサービスを表示するように表示部ＤＩＳを制御する（ステップＳ５０２）。サブサービスキー割当が、操作キー自動割当部１７４によって自動的に行われている場合には、自動割当結果表示制御部１７５は、視聴時間記憶部１８３を参照し、キー割当後総視聴時間が所定の値を超えているかを判断し（ステップＳ５０３）、キー割当後総視聴時間が所定の値を超えている場合、自動割当結果表示制御部１７５は、総視聴時間が所定の値を超えたサブサービスのキー割当を自動割当結果表示から削除する（ステップＳ５０４）。総視聴時間が所定の値以下の場合には、制御部１７０は、受信中のメインサービスのサブチャンネルのキー割当結果を表示するように、画面制御部１６０を通じて表示部ＤＩＳを制御する（ステップＳ５０５）。例えば図１０に示すマルチ編成番組の高校野球（メインサービス）を視聴に選局したときに、当該マルチ編成番組のサブサービスであり、図１２の通り操作キーＫＥＹ１「キー３」が割り当てられているニュース（２−Ｂｃｈ）の総視聴時間が所定の値を超えると、自動割当結果表示は図１６のように行われる。図１６においては、表示部ＤＩＳの一部に、自動割当結果表示領域が形成され、「２−Ｂｃｈ」が「キー３」に割り当てられている旨は表示されず、「２−Ｃｃｈ」は「キー４」に割り当てられている旨のみが表示される。このように、キー割当後の総視聴時間が所定の値を超えているサブサービスキーの自動割当結果表示を画面に表示しないことによって、ユーザが既に認識済みであるキー割当情報を画面に表示することを防ぐことができる。
【００４７】
本実施例によれば、未割当操作キーにサブサービスを割り当てることによって、ユーザが操作キーにより直接サブサービスを選局することが可能になり、サブサービスの選局を容易に行えるようになる。また、未割り当ての操作キーにサブサービスを割り当てるように制御することによって、操作入力部から直接選局可能なサービス数が増加し、ユーザの利便性を向上させることができる。また、メインサービスの番組とサブサービスの番組とが一致しない場合に、サブサービスを操作キーに割り当てるように制御することによって、操作入力部に重複したサービスを割り当てることを防ぐことができ、ユーザの利便性を向上させることができる。また、操作キーに割り当てたサブサービスが終了すると、サブサービスの操作キーに対する割当を解除するように制御することによって、他のサブサービスに操作キーを開放することが可能になる。また、自動的に割り当てた操作キーの情報を表示部に表示することによって、ユーザにマルチ編成放送の存在を周知すると共に、ユーザが直接操作キーを用いてサブサービスを選局することが可能になる。また、操作キーに割り当てたサブサービスが、当該サブサービスに割り当てられた操作キーにより選局されてから所定時間視聴されると、当該サブサービスに対応する操作キーの情報を表示部から消去することによって、ユーザがすでに認識済みの情報を継続して画面に表示することを防ぎ、ユーザの不快感を防ぐことができる。
【００４８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。放送局単位で選局する操作キーを、リモコンを例として説明したが、本発明はこれに限られるものではなく、放送受信端末に設けられたキー（ボタン）等で選局することができる受信端末に適応することも可能である。
【図面の簡単な説明】
【００４９】
【図１】本発明の一実施の形態に係る放送受信端末の構成を示す図である。
【図２】本発明の一実施の形態に係る放送受信端末のチャンネルリスト取得時の動作フローチャートである。
【図３】本発明の一実施の形態に係る放送受信端末のデジタル放送視聴時の動作のフローチャートである。
【図４】本発明の一実施の形態に係る放送受信端末の操作キー割当解除処理の動作フローチャートである。
【図５】本発明の一実施の形態に係る放送受信端末の視聴時間累積処理の動作フローチャートである。
【図６】本発明の一実施の形態に係る放送受信端末の自動割当結果表示削除処理の動作フローチャートである。
【図７】本発明の一実施の形態に係る放送受信端末の操作キー割当処理の動作フローチャートである。
【図８】本発明の一実施の形態に係る放送受信端末の自動割当結果表示非表示切換処理の動作フローチャートである。
【図９】マルチ編成番組が存在する場合の電子番組表(EPG :Electronic Program Guide)の一例を示す図である。
【図１０】マルチ編成番組の一例を示す図である。
【図１１】本発明の一実施の形態に係る放送受信端末の操作入力部に対するメインサービスの割当例を示す図である。
【図１２】本発明の一実施の形態に係る放送受信端末の操作入力部に対するメインサービス及びサブサービスの割当例を示す図である。
【図１３】本発明の一実施の形態に係る放送受信端末の表示部に表示されたメインサービスの一例を示す図である。
【図１４】本発明の一実施の形態に係る放送受信端末の表示部に表示されたサブサービスの一例を示す図である。
【図１５】本発明の一実施の形態に係る放送受信端末の表示部に表示されたメインサービス及び自動割当結果表示の一例を示す図である。
【図１６】本発明の一実施の形態に係る放送受信端末の表示部に表示されたメインサービス及び自動割当結果表示の一例を示す図である。
【符号の説明】
【００５０】
１００  放送受信端末
１１０  放送受信部
１２０  デマルチプレクサ
１３０  音声デコーダ
１４０  映像デコーダ
１５０  データ放送デコーダ
１６０  画面制御部
１７０  制御部
１７１  操作キー割当制御部
１７２  マルチ編成判定部
１７３  操作キー割当判定部
１７４  操作キー自動割当部
１７５  自動割当結果表示制御部
１７６  番組判定部
１７７  視聴時間累積部
１８０  記憶部
１８１  チャンネルリスト記憶部
１８２  操作キー割当記憶部
１８３  視聴時間記憶部
２００  自動割当結果表示領域
ＤＩＳ  表示部
ＳＰ  スピーカ
ＫＥＹ  操作入力部
ＫＥＹ１  操作キー
ＳＢ  システムバス
ＡＮＴ  アンテナ
【図１】
2010056886.tif 000003
【図２】
2010056886.tif 000004
【図３】
2010056886.tif 000005
【図４】
2010056886.tif 000006
【図５】
2010056886.tif 000007
【図６】
2010056886.tif 000008
【図７】
2010056886.tif 000009
【図８】
2010056886.tif 000010
【図９】
2010056886.tif 000011
【図１０】
2010056886.tif 000012
【図１１】
2010056886.tif 000013
【図１２】
2010056886.tif 000014
【図１３】
2010056886.tif 000015
【図１４】
2010056886.tif 000016
【図１５】
2010056886.tif 000017
【図１６】
2010056886.tif 000018